(57)【特許請求の範囲】
【請求項１】
壁面に取り付けられた状態において、
前記壁面から離れた位置で左右に隣り合って上下方向に伸びた少なくとも２本の前側縦フレーム、及び複数の前記前側縦フレームの間に連結され、上下に隣り合って左右方向に伸びた少なくとも２本の前側横フレームを有する前枠と、
前記前枠の左右両端の上端に連結されて前記壁面に向けて水平に伸びた一対の上フレーム、前記前枠の左右両端の下端に連結されて前記壁面に向けて水平に伸びた一対の下フレーム、前記壁面側の上端から前記壁面に沿って下方に伸び、又は／及び、前記壁面側の下端から前記壁面に沿って上方に伸びており、前記前側縦フレームよりも短い一対又は二対の後側縦フレーム、及び前記前枠の左右両端の前記前側縦フレームを有する左右横枠と、
前記左右横枠を構成する少なくとも２種類の前記フレームの間に連結されて前記左右横枠の変形を防止する補強部材と、
前記上フレームの前記壁面側の端部の間、及び前記下フレームの前記壁面側の端部の間に連結されて左右方向に伸びた一対の後側横フレームと、
前記後側縦フレームの前記上フレーム、又は／及び、前記下フレームに連結された端部の反対側の端部の間に連結されて左右方向に伸びた後側中間横フレームと、
を備えており、
前記後側縦フレームが連結されていない前記後側横フレームと前記後側中間横フレームとの間、又は上下に隣り合って左右方向に伸びた前記後側中間横フレームの間に前記壁面に固定されて横方向に配設された配管を挿通する空間が設けられていることを特徴とする壁取付ライニング用フレーム。
【請求項２】
前記補強部材は前記前側縦フレームと前記後側縦フレームとの間に連結された中間フレームであることを特徴とする請求項１記載の壁取付ライニング用フレーム。
【請求項３】
上側の前記前側横フレームより上側の上部にトイレ設備機器を収納する収納部が形成されていることを特徴とする請求項１又は２記載の壁取付ライニング用フレーム。
【請求項４】
請求項１乃至３のいずれか１項記載の壁取付ライニング用フレームにトイレ設備機器が取り付けられていることを特徴とする壁取付ライニング。
【発明の詳細な説明】
【技術分野】
【０００１】
本発明は壁取付ライニング用フレームに関するものである。
【背景技術】
【０００２】
特許文献１は従来の壁取付ライニングを開示している。この壁取付ライニングは床置きライニングの隣に取り付けられている。この壁取付ライニング用フレームは前枠と左右横枠を備えている。前枠は、この壁取付ライニング用フレームが壁面に取り付けられた状態で、壁面から離れた位置で左右方向に隣り合って上下方向に伸びた２本の前側縦フレームと、これら前側縦フレームの上下端同士の間を連結し、上下に隣り合って左右方向に伸びた２本の前側横フレームを有している。この壁取付ライニングは、床置きライニング用フレームの縦フレームに隣接した前側縦フレームが、接続金具によって床置きライニング用フレームの縦フレームに連結されている。これによって、この壁取付ライニング用フレームは壁に取り付けられた状態で変形を防止することができる。
【先行技術文献】
【特許文献】
【０００３】
【特許文献１】特開２０１３−２４０３９５号公報
【発明の概要】
【発明が解決しようとする課題】
【０００４】
しかし、特許文献１の壁取付ライニングは床置きライニングの隣に取り付けられるものである。このため、この壁取付ライニングは、床置きライニングの隣でなく単独で壁面に取り付けると、取付け後に上方から荷重がかかる等すると壁取付ライニング用フレームが変形してしまうおそれがある。
【０００５】
本発明は、上記従来の実情に鑑みてなされたものであって、壁面に単独で取り付けられた状態で変形を防止することができる壁取付ライニング用フレームを提供することを解決すべき課題としている。
【課題を解決するための手段】
【０００６】
本発明の壁取付ライニング用フレームは、壁面に取り付けられた状態において、
前記壁面から離れた位置で左右に隣り合って上下方向に伸びた少なくとも２本の前側縦フレーム、及び複数の前記前側縦フレームの間に連結され、上下に隣り合って左右方向に伸びた少なくとも２本の前側横フレームを有する前枠と、
前記前枠の左右両端の上端に連結されて前記壁面に向けて水平に伸びた一対の上フレーム、前記前枠の左右両端の下端に連結されて前記壁面に向けて水平に伸びた一対の下フレーム、前記壁面側の上端から前記壁面に沿って下方に伸び、又は／及び、前記壁面側の下端から前記壁面に沿って上方に伸びており、前記前側縦フレームよりも短い一対又は二対の後側縦フレーム、及び前記前枠の左右両端の前記前側縦フレームを有する左右横枠と、
前記左右横枠を構成する少なくとも２種類の前記フレームの間に連結されて前記左右横枠の変形を防止する補強部材と、
前記上フレームの前記壁面側の端部の間、及び前記下フレームの前記壁面側の端部の間に連結されて左右方向に伸びた一対の後側横フレームと、
前記後側縦フレームの前記上フレーム、又は／及び、前記下フレームに連結された端部の反対側の端部の間に連結されて左右方向に伸びた後側中間横フレームと、
を備えており、
前記後側縦フレームが連結されていない前記後側横フレームと前記後側中間横フレームとの間、又は上下に隣り合って左右方向に伸びた前記後側中間横フレームの間に前記壁面に固定されて横方向に配設された配管を挿通する空間が設けられていることを特徴とする。
【０００７】
この壁取付ライニング用フレームは、左右横枠を構成する少なくとも２種類のフレームを連結して左右横枠の変形を防止する補強部材を備えているため、壁面に取り付けられた状態で上方から荷重がかかる等しても左右横枠の変形を防止することができる。
【０００８】
したがって、本発明の壁取付ライニング用フレームは壁面に単独で取り付けられた状態で変形を防止することができる。
【０００９】
壁取付ライニングは前記壁取付ライニング用フレームにトイレ設備機器が取り付けられていることを特徴とする。この場合、この壁取付ライニングは、壁取付ライニング用フレームが壁面に単独で取り付けられた状態で変更を防止することができるため、トイレ設備機器を良好に使用することができる。
【図面の簡単な説明】
【００１０】
【図１】実施例１の壁取付ライニング用フレームを利用して手洗器及び洗面器が取り付けられた多目的トイレ室を示す斜視図である。
【図２】手洗器及び洗面器が取り付けられ、排水管を収納した実施例１の壁取付ライニング用フレームを示す透視図である。
【図３】実施例１の壁取付ライニング用フレームを示す斜視図である。
【図４】排水管が壁面に配設された状態を示す正面図である。
【図５】壁面に配設された排水管を収納して壁面に取り付けられた実施例１の壁取付ライニング用フレームを示す正面図である。
【発明を実施するための形態】
【００１１】
本発明における好ましい実施の形態を説明する。
【００１２】
本発明の壁取付ライニング用フレームにおける補強部材は、前記前側縦フレームと前記後側縦フレームとの間に連結された中間フレームであり得る。この場合、この壁取付ライニングは簡易な構造で変形を防止することができる。また、前側縦フレームと後側縦フレームとの間に連結されるとは、前側縦フレーム及び／又は後側縦フレームに別フレームを介して中間フレームが連結された状態も含まれる。
【００１３】
本発明の壁取付ライニング用フレームは上側の前記前側横フレームより上側の上部にトイレ設備機器を収納する収納部が形成され得る。この場合、この壁取付ライニング用フレームは配管を収納するだけでなく、収納部に手洗器や、洗面器等のトイレ設備機器の一部を収納することができる。このため、この壁取付ライニング用フレームはトイレ設備機器をすっきりとした外観で取り付けることができる。ここで、トイレ設備機器とは、手洗器、洗面器等のトイレで使用される設備機器をいう。
【００１４】
次に、本発明の壁取付ライニング用フレームを具体化した実施例１について、図面を参照しつつ説明する。
【００１５】
＜実施例１＞
実施例１の壁取付ライニング用フレーム１０は、図１及び図２に示すように、多目的トイレ室の一つの壁面Ｗ１に沿って取り付けられている。また、この多目的トイレ室は、壁取付ライニング用フレーム１０が取り付けられた壁面Ｗ１の一端側に連続した壁面Ｗ２に沿って床置きライニング用フレーム（図示せず）が取り付けられている。
【００１６】
床置きライニング用フレームは、多目的トイレ室の床面Ｆ上に設置され、床面Ｆと壁面Ｗ２に固定されている。この床置きライニング用フレームは、上面に天板１が取り付けられ、前面に前板２を取り付けて床置きライニングを構成している。この床置きライニングは、前板２の前面に大便器３Ａ、背もたれ３Ｂ、跳ね上げ式手すり３Ｃ、紙巻器４、汚物流し５Ａ、汚物流し５Ａに向けて吐水する吐水管５Ｂ、操作ハンドル５Ｃ、及び汚物流し５Ａに向けて吐水する手動水石けん供給栓５Ｄが取り付けられている。また、床置きライニングは汚物流し５Ａが位置する部分の天板１上に前面に鏡６Ａが取り付けられた収納棚６Ｂが設置されている。
【００１７】
壁取付ライニング用フレーム１０は、手洗器１１と洗面器１２が一体に形成されたカウンタ１３とバックガード１４が上部に取り付けられ、前面に前板１５を取り付けて壁取付ライニングを構成している。
【００１８】
カウンタ１３は、手洗器１１が設けられている左側の奥行き寸法が洗面器１２が設けられている右側の奥行き寸法よりも小さい。ここで、左右は図２における左右である（以下同じ。）。バックガード１４は手洗器１１の上方に自動吐水管１１Ａが取り付けられている。また、バックガード１４は洗面器１２の上方に自動吐水管１２Ａと自動水石けん供給栓１２Ｂが取り付けられている。
【００１９】
この壁取付ライニングは、前板１５の前面に、２連の紙巻器１６と固定式手すり１７の支持部１７Ａが取り付けられている。また、前板１５は紙巻器１６の下方にゴミ投入口１８が開口している。多目的トイレ室は、ゴミ投入口１８の下方に着脱自在のゴミ箱（図示せず）が配置されており、このごみ箱を収納する開閉式収納部１８Ａが設けられている。また、多目的トイレ室は洗面器１２が位置する部分のバックガード１４の上方の壁面Ｗ１に鏡１９が取り付けられている。
【００２０】
壁取付ライニング用フレーム１０は、図２及び図３に示すように、前枠２０、左右横枠３０、補強部材である中間フレーム４０、一対の後側横フレーム５１，５２、及び後側中間横フレーム６０を備えている。
【００２１】
前枠２０は、一直線上に伸び、断面が長方形状の金属製角材で形成された３本の前側縦フレーム２１Ａ，２１Ｂ，２１Ｃと、一直線上に伸び、断面が長方形状の金属製角材で形成された４本の前側横フレーム２２Ａ，２２Ｂ，２２Ｃ，２２Ｄとを有している。３本の前側縦フレーム２１Ａ，２１Ｂ，２１Ｃは、壁取付ライニング用フレーム１０が壁面Ｗ１に取り付けられた状態において、壁面Ｗ１から離れた位置で左右に隣り合って上下方向（略鉛直方向）に平行に伸びている。４本の前側横フレーム２２Ａ，２２Ｂ，２２Ｃ，２２Ｄの内、２本の前側横フレーム２２Ａ，２２Ｂは、左端に位置する前側縦フレーム２１Ａと左右中央に位置する前側縦フレーム２１Ｂとの間に連結され、上下に隣り合って左右方向に平行に伸びている。詳しくは、下側の前側横フレーム２２Ｂが、左端に位置する前側縦フレーム２１Ａの下端と、左右中央に位置する前側縦フレーム２１Ｂの下端との間に連結されている。また、上側の前側横フレーム２２Ａが、左端に位置する前側縦フレーム２１Ａの上端側の中間部と、左右中央に位置する前側縦フレーム２１Ｂの上端側の中間部との間に連結されている。上側の前側横フレーム２２Ａの左右両端の上部に固定式手すりが取り付けられる金属製溝型材で形成された支持部材２３が接続されている。支持部材２３は垂直面に固定式手すりを取り付けるボルトを挿通するボルト孔２３Ａを形成している。
【００２２】
また、残りの２本の前側横フレーム２２Ｃ，２２Ｄは、左右中央に位置する前側縦フレーム２１Ｂと右端に位置する前側縦フレーム２１Ｃとの間に連結され、上下に隣り合って左右方向に平行に伸びている。詳しくは、下側の前側横フレーム２２Ｄが、左右中央に位置する前側縦フレーム２１Ｂの下端と、右端に位置する前側縦フレーム２１Ｃの下端との間に連結されている。また、上側の前側横フレーム２２Ｃが、左右中央に位置する前側縦フレーム２１Ｂの上端側の中間部と、右端に位置する前側縦フレーム２１Ｃの上端側の中間部との間に連結されている。
【００２３】
左右横枠３０Ａ，３０Ｂは、一直線上に伸び、断面が長方形状の金属製角材で形成された一対の上フレーム３１Ａ，３１Ｂ、一直線上に伸び、断面が長方形状の金属製角材で形成された一対の下フレーム３２Ａ，３２Ｂ、一直線上に伸び、断面が長方形状の金属製角材で形成された一対の後側縦フレーム３３Ａ，３３Ｂ、及び前枠２０の左右両端の前側縦フレーム２１Ａ，２１Ｃを有している。一対の上フレーム３１Ａ，３１Ｂは、前枠２０の左右両端に位置する前側縦フレーム２１Ａ，２１Ｃの上端に連結されて壁面Ｗ１に向けて水平に伸びている。右横枠３０Ｂの上フレーム３１Ｂは右側の前側縦フレーム２１Ｃよりも前側に突出している。つまり、右横枠３０Ｂの上フレーム３１Ｂの方が左横枠３０Ａの上フレーム３１Ａよりも長い。
【００２４】
一対の下フレーム３２Ａ，３２Ｂは、前枠２０の左右両端に位置する前側縦フレーム２１Ａ，２１Ｃの下端と下側の前側横フレーム２２Ｂ，２２Ｄとが連結されている角部に連結されて壁面Ｗ１に向けて水平に伸びている。これら下フレーム３２Ａ，３２Ｂは同じ長さである。
【００２５】
一対の後側縦フレーム３３Ａ，３３Ｂは一対の上フレーム３１Ａ，３１Ｂの夫々の壁面Ｗ１側の端部に上側の後側横フレーム５１を介して連結されて壁面Ｗ１に沿って下方に伸びている。つまり、一対の後側縦フレーム３３Ａ，３３Ｂは、壁面Ｗ１側の上端から壁面Ｗ１に沿って下方に伸びている。これら後側縦フレーム３３Ａ，３３Ｂは、前側縦フレーム２１Ａ，２１Ｂ，２１Ｃの約４分の１程度の長さであり、前側縦フレーム２１Ａ，２１Ｂ，２１Ｃよりも短い。
【００２６】
後側中間横フレーム６０は、一直線上に伸び、断面が長方形状の金属製角材で形成されている。後側中間横フレーム６０は一対の後側縦フレーム３３Ａ，３３Ｂの下端部の間に連結されて左右方向に伸びている。中間フレーム４０は一直線上に伸び、断面が長方形状の金属製角材で形成されている。中間フレーム４０は、後側中間横フレーム６０の両端と、左右両端に位置する前側縦フレーム２１Ａ，２１Ｃの中間部との間に連結されている。つまり、中間フレーム４０は、後端が後側中間横フレーム６０を介して後側縦フレーム３３Ａ，３３Ｂに連結され、前端が前側縦フレーム２１Ａ，２１Ｃに連結されており、前後方向に略水平に伸びている。
【００２７】
一対の後側横フレーム５１，５２は、上フレーム３１Ａ，３１Ｂの壁面Ｗ１側の端部の間、及び下フレーム３２Ａ，３２Ｂの壁面Ｗ１側の端部の間に連結され、左右方向に伸びている。上側の後側横フレーム５１は断面が長方形状の金属製角材５１Ａと金属製アングル材５１Ｂとで構成されている。上側の後側横フレーム５１は左右両端と左右中央部の上面に金属製角材５１Ａが位置している。左右両端の金属製角材５１Ａは、前面の端部に上フレーム３１Ａ，３１Ｂの後端が連結され、下面の後側端部に後側縦フレーム３３Ａ，３３Ｂが連結されている。左右中央部に位置する金属製角材５１Ａは、一方の端部が第１中央上フレーム３４の後端部に連結されている。第１中央上フレーム３４は、断面が長方形状の金属製角材で形成されており、左右中央に位置する前側縦フレーム２１Ｂの上端に連結されている。また、左右中央部に位置する金属製角材５１Ａは、他方の端部が第２中央上フレーム３５の後端部に連結されている。第２中央上フレーム３５は断面が長方形上の金属製角材で形成されており、上側の前側横フレーム２２Ｃから立ち上がった支持フレーム３６の上端に連結されている。第２中央上フレーム３５は、右横枠３０Ｂの上フレーム３１Ｂと同じ長さであり、支持フレーム３６よりも前側に突出している。上側の後側横フレーム５１の上面は２か所が切り欠かれた切り欠き部５１Ｃが形成されている。また、上側の後側横フレーム５１は垂直面の左右両端部と中央部に壁取付ライニング用フレーム１０を壁面Ｗ１に取り付けるボルトを挿通するボルト孔５１Ｄを形成している。
【００２８】
下側の後側横フレーム５２は金属製溝型材で形成されている。下側の後側横フレーム５２は垂直面の左右両端部と中央部に壁取付ライニング用フレーム１０を壁面Ｗ１に取り付けるボルトを挿通するボルト孔５２Ａを形成している。下側の後側横フレーム５２と後側中間横フレーム６０との間は空間が設けられている。この空間は後述するように壁面Ｗ１に固定されて横方向に排泄された排水管Ｄ１，Ｄ２を挿通することができる。
【００２９】
一対の下フレーム３２Ａ，３２Ｂの間であって、下側の後側横フレーム５２と下側の前側横フレーム２２Ｂ，２２Ｄとの間に５本の中間下フレーム３７が連結されている。これら中間下フレーム３７は下側の後側横フレーム５２と下側の前側横フレーム２２Ｂ，２２Ｄとの間の連結を強固にしている。
【００３０】
この壁取付ライニング用フレーム１０は、上側の前側横フレーム２２Ａ，２２Ｂより上側であって、上側の後側横フレーム５１より前方に空間が形成されている。このため、この壁取付ライニング用フレーム１０は、この空間にカウンタ１３より下方に突出した手洗器１１の鉢部と洗面器１２の鉢部を収納することができる。つまり、この壁取付ライニング用フレーム１０は上部にカウンタ１３より下方に突出した手洗器１１の鉢部と洗面器１２の鉢部を収納する収納部Ｓが形成されている。
【００３１】
このような構成を有する壁取付ライニング用フレーム１０は、次に説明するように壁面Ｗ１に取り付けられる。先ず、図４に示すように、手洗器１１の排水口に連通する排水管Ｄ１、及び洗面器１２の排水溝に連通する排水管Ｄ２を壁面Ｗ１に取り付ける。その後、図５に示すように、後側中間横フレーム６０と下側の後側横フレーム５２との間に設けられた空間に各排水管を挿通し、壁取付ライニング用フレーム１０内に各排水管Ｄ１，Ｄ２を収納しつつ、一対の後側横フレーム５１，５２に形成された各ボルト孔５１Ｄ，５２Ａにボルトをねじ込んで壁取付ライニング用フレーム１０を壁面Ｗ１に取り付ける。
【００３２】
その後、壁取付ライニング用フレーム１０の上部に手洗器１１と洗面器１２が一体に形成されたカウンタ１３とバックガード１４とを取り付け、手洗器１１及び洗面器１２の各排水口と各排水管Ｄ１，Ｄ２とをトラップＴ１，Ｔ２によって連結する。その後、壁取付ライニング用フレーム１０の前面に前板１５を取り付ける。そして、前板１５の前面に、２連の紙巻器１６と固定式手すり１７を取り付ける。
【００３３】
このように、この壁取付ライニング用フレーム１０は、左右横枠３０を構成する前側縦フレーム２１Ａ，２１Ｃと後側縦フレーム３３Ａ，３３Ｂとの間を中間フレーム４０が連結することによって、左右横枠３０の変形を防止するため、壁面Ｗ１に取り付けられた状態で上方から荷重がかかる等しても左右横枠３０の変形を防止することができる。
【００３４】
したがって、実施例１の壁取付ライニング用フレーム１０は壁面Ｗ１に単独で取り付けられた状態で変形を防止することができる。
【００３５】
この壁取付ライニング用フレーム１０に手洗器１１及び洗面器１２が取り付けられた壁取り付けライニングは、壁取付ライニング用フレーム１０が壁面Ｗ１に単独で取り付けられた状態で変更を防止することができるため、手洗器１１及び洗面器１２を良好に使用することができる。
【００３６】
この壁取付ライニング用フレーム１０は、前側縦フレーム２１Ａ，２１Ｃと後側縦フレーム３３Ａ，３３Ｂとの間に連結された中間フレーム４０が補強部材であるため、簡易な構造で変形を防止することができる。
【００３７】
この壁取付ライニング用フレーム１０は上部に手洗器１１及び洗面器１２の鉢部を収納する収納部Ｓが形成されている。このため、この壁取付ライニング用フレーム１０は排水管Ｄ１，Ｄ２を収納するだけでなく、カウンタ１３より下方に突出した手洗器１１の鉢部と洗面器１２の鉢部を収納することができる。このため、この壁取付ライニング用フレーム１０は手洗器１１及び洗面器１２をすっきりとした外観で取り付けることができる。
【００３８】
本発明は上記記述及び図面によって説明した実施例に限定されるものではなく、例えば次のような実施例も本発明の技術的範囲に含まれる。
（１）実施例１では、前側縦フレームと後側縦フレームとの間に連結された中間フレームが補強部材であったが、上フレームと後側縦フレームとの間に補強部材を連結してもよいし、上フレームと前側縦フレームとの間に補強部材を連結してもよい。
（２）実施例１では、補強部材である中間フレームは、一直線上に伸び、断面が長方形状の金属製角材で形成されていたが、補強部材は平板状であってもよい。この場合、補強部材を前後縦フレーム及び上フレームに連結するようにしてもよい。
（３）実施例１では、後側縦フレームが壁面側の上端から壁面に沿って下方に伸びているが、壁面がの下端から壁面に沿って上方に伸ばし、その上端に補強部材である中間フレームを連結してもよい。
（４）実施例１では、前枠が３本の前側縦フレームを有していたが、左右両端部に２本の前側縦フレームを有するものであってもよい。この場合、前側横フレームは２本でよい。
（５）実施例１では、後側縦フレームが左右横枠の上端から壁面に沿って下方に伸ばし、補強部材である中間フレームを連結していたが、さらに後側縦フレームを左右横枠の下端から壁面に沿って上方に伸ばし、補強部材である中間フレームを連結してもよい。
（６）実施例１では、後側縦フレームが左右横枠の上端から壁面に沿って下方に伸ばし、補強部材である中間フレームを連結していたが、後側縦フレームを左右横枠の上端から壁面に沿って伸ばさず、左右横枠の下端から壁面に沿って上方に伸ばし、補強部材である中間フレームを連結してもよい。
【符号の説明】
【００３９】
１０…壁取付ライニング用フレーム
１１…手洗器（トイレ設備機器）
１２…洗面器（トイレ設備機器）
２０…前枠
２１Ａ，２１Ｂ，２１Ｃ…前側縦フレーム
２２Ａ，２２Ｂ，２２Ｃ，２２Ｄ…前側横フレーム
３０…左右横枠
３１Ａ，３１Ｂ…上フレーム
３２Ａ，３２Ｂ…下フレーム
３３Ａ，３３Ｂ…後側縦フレーム
４０…中間フレーム（補強部材）
５１，５２…後側横フレーム
６０…後側中間横フレーム
Ｄ１，Ｄ２…排水管（配管）
Ｓ…収納部
Ｗ１…壁面
【図１】
0006628598.tif 000002
【図２】
0006628598.tif 000003
【図３】
0006628598.tif 000004
【図４】
0006628598.tif 000005
【図５】
0006628598.tif 000006